(57)【要約】複数ディスプレイ環境でイメージを提示する装置、システム、および方法を提供する。本発明は、主画面から選択された部分を第１ユーザから受け取る命令を記録したコンピュータ可読媒体を含む。選択された部分は、イメージとプログラムの一部とのうちの１つである。次いで、選択された部分は１または複数の２次画面に表示される。第１ユーザに、２次画面を構成するツールが提示され、第１ユーザは、システムに対する第２ユーザの入力を確認することができる。本発明はまた、主画面の表示の変化を生じさせるプログラムの変化に応答して、２次画面を動的に更新することを含む。また、マルチ画面プレゼンテーションに理想的に適しているマルチ画面ラップトップ・コンピュータと、マルチ画面プレゼンテーションを容易にするようにコンピュータに容易に接続できるデュアル・モニタ・ディスプレイ・デバイスも開示する。
2010514072.tif 000002
【特許請求の範囲】
【請求項１】
複数の画面に出力を表示するためのコンピュータ実行可能命令を有するコンピュータ可読媒体であって、前記命令が、
主画面からの選択された部分を第１ユーザから受け取るステップであって、前記選択された部分が、
前記主画面に表示されるイメージと、
前記主画面に表示されるプログラムの一部と
のうちの１つを含むものである、ステップと、
前記第１ユーザから受け取った前記主画面からの前記選択された部分を１または複数の２次画面に表示するステップであって、前記選択された部分が、前記選択された部分のソースから分離されたものである、ステップと
を含む、
コンピュータ可読媒体。
【請求項２】
請求項１に記載のコンピュータ可読媒体であって、前記主画面からの前記選択された部分が、前記主画面に表示されるプログラムの一部であり、前記主画面からの前記選択された部分を１または複数の２次画面に表示する前記ステップが、前記主画面に表示される選択された前記プログラムの一部の表示の変化に応答して、１または複数の２次画面の表示を動的に更新するステップを含む、コンピュータ可読媒体。
【請求項３】
請求項１に記載のコンピュータ可読媒体であって、前記主画面で主画面選択ツールを前記第１ユーザに提示するステップを更に含み、前記主画面選択ツールが、ユーザ応答型グラフィカル・ユーザ・インターフェース（ＧＵＩ）を備え、前記第１ユーザが、前記主画面選択ツールのキャプチャ・ツールを使用して、前記選択された部分の選択を行う、コンピュータ可読媒体。
【請求項４】
請求項３に記載のコンピュータ実行可能命令であって、
前記１または複数の２次画面のうちの１つからの入力を第２ユーザから受け取るステップと、
前記主画面の前記主画面選択ツール上に前記入力を表示するステップと
を更に備える、
コンピュータ実行可能命令。
【請求項５】
請求項１に記載のコンピュータ可読媒体であって、第１ポインタが前記主画面と関連付けられ、第２ポインタが前記１または複数の２次画面のうちの１つと関連付けられ、前記命令が、
前記第１ポインタが前記主画面のキャプチャされるプログラムのエリア内に配置されたことに応答して、前記２次画面に前記第１ポインタを表示するステップであって、前記第１ポインタは、前記主画面に関連する前記第１ユーザからの入力に応答するように構成されるものである、ステップと、
前記主画面の前記主画面選択ツール内に前記第２ポインタを表示するステップであって、前記第２ポインタが、前記２次画面に関連する第２ユーザからの入力に応答するように構成されるものである、ステップと
を更に備える、
コンピュータ可読媒体。
【請求項６】
請求項３に記載のコンピュータ可読媒体であって、前記第１ユーザがプライベート・モード選択機能を活動化したことに応答して、前記主画面選択ツールのプレゼンテーション・ビュー・エリア上の最後のイメージを、前記１または複数の２次画面の静的イメージとして、前記１または複数の２次画面に表示するステップを更に備える、コンピュータ可読媒体。
【請求項７】
請求項３に記載のコンピュータ可読媒体であって、前記主画面からの前記選択された部分を、前記主画面選択ツールのクリップ・エリア内に配置する命令を更に備え、前記第１ユーザから受け取った前記主画面からの前記選択された部分を１または複数の２次画面に表示するステップ前記ステップが、前記第１ユーザが前記選択された部分を前記クリップ・エリアから前記主画面選択ツールのプレゼンテーション・ビュー・エリアへドラッグしたことに応答して、前記選択された部分を前記１または複数の２次画面に表示するステップを更に含み、前記選択された部分は、更に、前記選択された部分を含む前記プレゼンテーション・ビュー・エリアにおける位置に対応する前記１または複数の２次画面における位置に表示される、コンピュータ可読媒体。
【請求項８】
複数の画面に出力を表示するシステムであって、
第１ユーザから入力を受け取るように構成された主画面と、
第２ユーザから入力を受け取るように構成された２次画面と、
プロセッサおよびメモリと、
前記主画面からの選択された部分を前記第１ユーザから受け取るように構成された入力モジュールであって、前記選択された部分が、
前記主画面のイメージと、
前記主画面に表示されるプログラムの一部と
のうちの１つを含むものである、入力モジュールと、
前記第１ユーザから受け取った前記主画面からの前記選択された部分を前記２次画面に表示するように構成されたディスプレイ・モジュールであって、前記選択された部分が、前記選択された部分のソースから分離されたものである、ディスプレイ・モジュールと、
前記主画面に表示されるユーザ応答型グラフィカル・ユーザ・インターフェース（ＧＵＩ）を備える主画面選択ツールであって、前記第１ユーザが、前記主画面選択ツールのキャプチャ・ツールを使用して前記選択された部分の選択を行うものである、主画面選択ツールと
を備えるシステム。
【請求項９】
請求項８に記載のシステムであって、前記主画面からの前記選択された部分が、前記主画面に表示されるプログラムの一部であり、前記ディスプレイ・モジュールが、前記主画面に表示される前記プログラムの一部の表示の変化に応答して、１または複数の２次画面の表示を動的に更新するように構成される、システム。
【請求項１０】
請求項８に記載のシステムであって、
前記２次画面からの入力を前記第２ユーザから受け取るように構成された２次入力モジュール
を備え、
請求項８に記載の前記入力モジューが、前記主画面からの入力を前記第１ユーザから受け取るように更に構成され、
前記ディスプレイ・モジュールが、前記主画面からの前記入力と前記２次画面からの入力とを前記主画面選択ツールのプレゼンテーション・ビュー・エリアに表示するように更に構成される、
システム。
【請求項１１】
請求項１０に記載のシステムであって、
前記第１ユーザからの入力に応答するように構成された第１ポインタ・モジュールと、
前記２次画面と関連する第２ユーザからの入力に応答するように構成された第２ポインタ・モジュールと
を備え、
前記ディスプレイ・モジュールは、前記主画面に表示される前記主画面選択ツールの前記プレゼンテーション・ビュー・エリアに前記第２ポインタを表示し、前記第１ポインタが、前記主画面のキャプチャされるプログラムのエリア内に配置されたことに応答して、前記２次画面に前記第１ポインタを表示するように構成され、前記キャプチャされるプログラムのエリアは、前記主画面選択ツールにより画定されるものである、
システム。
【請求項１２】
請求項１０に記載のシステムであって、第１ユーザがプライベート・モード選択機能を選択したことに応答して、前記プレゼンテーション・ビュー・エリア上の最後のイメージを前記２次画面上の静的イメージとして前記２次画面に表示させるように構成されたプライベート・モード・モジュールを更に備えるシステム。
【請求項１３】
請求項８に記載のシステムであって、前記主画面がラップトップ・コンピュータの第１画面であり、前記２次画面がラップトップ・コンピュータの第２画面であり、前記第１画面が、上部シャーシの内側面に結合されたタブレット画面を備え、前記第２画面が、上部シャーシの外側面に結合されたタブレット画面を備える、システム。
【請求項１４】
請求項１３に記載のシステムであって、前記ラップトップ・コンピュータが、
パワー・アクチュエータであって、ユーザにより活動化されると、前記ラップトップ・コンピュータを始動させるものであり、ラップトップ・シャーシの外側部分に配置されるものであるパワー・アクチュエータと、
画面アクチュエータであって、前記ユーザにより活動化されると、前記主画面を前記ラップトップ・コンピュータの前記第２画面へと切り換えるものであり、前記ラップトップ・シャーシの外側部分に配置されるものである、画面アクチュエータと、
前記ラップトップ・シャーシの１または複数の外側部分に配置された１または複数のスピーカと、
前記主画面が前記第２画面であることを示すように構成されたインジケータと
を備える、
システム。
【請求項１５】
請求項１３に記載のシステムであって、前記ラップトップは、前記上部シャーシに結合され、前記第２画面を覆うように構成されたポリプロピレン製カバーを更に備え、前記上部シャーシは、上部トラックおよび下部トラックを更に備え、前記上部トラックと前記下部トラックとは、それらの長手方向に沿って前記ポリプロピレン製カバーを案内するように構成され、前記上部シャーシは、前記ポリプロピレン製カバーを収納するように構成されたハウジングを更に備える、システム。
【請求項１６】
請求項１３に記載のシステムであって、赤外線スタイラスを更に備え、前記赤外線スタイラスは、赤外線光のビームを放射するものであり、前記上部シャーシの前記内側面は、電荷結合デバイス（ＣＣＤ）イメージ・センサおよび相補型金属酸化物半導体（ＣＭＯＳ）イメージ・センサのうちの１または複数のものを備え、前記ラップトップは、前記赤外線光のビームの前記第１画面における位置を求めるように構成された赤外線検出モジュールと、赤外線スタイラス・ハウジングとを更に備える、システム。
【請求項１７】
請求項８に記載のシステムであって、デュアル・モニタ・ディスプレイ・ユニットを更に備え、前記デュアル・モニタ・ディスプレイ・ユニットが、
画面部分シャーシと、前記デュアル・モニタ・ディスプレイ・ユニットを支持するように構成されるベース部分シャーシとを備えるデュアル・ディスプレイ・シャーシと、
前記デュアル・ディスプレイ・シャーシの前記画面部分シャーシに結合される第１画面と、
前記デュアル・ディスプレイ・シャーシの前記画面部分シャーシに、前記第１画面と反対の側で、結合される第２画面と、
コンピュータのモニタ接続ポートに第１画面を接続するように構成されたモニタ・コネクタと、
前記コンピュータのユニバーサル・シリアル・バス（ＵＳＢ）ポートに第２画面に接続するように構成された２画面アダプタと
を備える、
システム。
【請求項１８】
複数の画面に出力を表示する方法であって、
主画面からの選択された部分を第１ユーザから受け取るステップであって、前記選択された部分が、
前記主画面のイメージと、
前記主画面に表示されるプログラムの一部と
のうちの１つを含む、ステップと、
前記第１ユーザから受け取った前記主画面からの前記選択された部分を１または複数の２次画面に表示するステップであって、前記選択された部分は、前記選択された部分のソースから分離されたものであり、
前記主画面に表示されるプログラムの一部を含む前記主画面からの選択された部分を第１ユーザから受け取ったことに応答して、前記主画面に表示される前記プログラムの一部の表示の変化に応答して１または複数の２次画面の表示を動的に更新して、前記２次画面上の前記選択されたプログラムの前記イメージが、前記主画面の前記選択されたプログラムの前記イメージと同じになるようにするステップと、
前記主画面のイメージを含む前記主画面からの前記選択された部分を前記ユーザから受け取ったことに応答して、前記主画面からの前記選択された部分の静的イメージを前記１または複数の２次画面に表示するステップと
を更に含むステップと
を備える方法。
【請求項１９】
請求項１８に記載の方法であって、前記主画面で主画面選択ツールを第１ユーザに提示するステップを更に含み、前記主画面選択ツールが、ユーザ応答型グラフィカル・ユーザ・インターフェース（ＧＵＩ）を含み、前記第１ユーザが、前記主画面選択ツールのキャプチャ・ツールを使用して、前記選択された部分の選択を行う、方法。
【請求項２０】
請求項１９に記載の方法であって、
前記１または複数の２次画面のうちの１つからの入力を第２ユーザから受け取るステップと、
前記主画面の前記主画面選択ツールに前記入力を表示するステップと
を更に備える方法。
【請求項２１】
請求項２０に記載の方法であって、第１ポインタが前記主画面と関連付けられ、第２ポインタが、前記１または複数の２次画面のうちの１つと関連付けられ、
前記第１ポインタが前記主画面のキャプチャされるプログラムのエリア内に配置されたことに応答して、前記２次画面に前記第１ポインタを表示するステップであって、前記第１ポインタは、前記主画面に関連する前記第１ユーザからの入力に応答するように構成されたものである、ステップと、
前記主画面の前記主画面選択ツール内に前記第２ポインタを表示するステップであって、前記第２ポインタは、前記２次画面に関連する第２ユーザからの入力に応答するように構成されたものである、ステップと
を備える方法。
【請求項２２】
請求項１８に記載の方法であって、前記第１ユーザがプライベート・モード選択機能を選択したことに応答して、主画面選択ツールのプレゼンテーション・ビュー・エリア上の最後のイメージを前記１または複数の２次画面の静的イメージとして、前記１または複数の２次画面に表示するステップを更に備える、方法。
【請求項２３】
請求項１８に記載の方法であって、前記方法はラップトップ・コンピュータで実行され、前記主画面がラップトップ・コンピュータの第１画面であり、前記２次画面がラップトップ・コンピュータの第２画面であり、前記第１画面は、上部シャーシの内側面に結合されたタブレット画面を含み、前記第２画面は、前記上部シャーシの外側面に結合されたタブレット画面を含み、前記ラップトップ・コンピュータは、
ラップトップ・シャーシの外側部分に配置され、ユーザにより活動化されたことに応答して前記ラップトップ・コンピュータを始動するように構成されたパワー・アクチュエータと、
前記ラップトップ・シャーシの外側部分に配置され、ユーザにより活動化されたことに応答して前記ラップトップ・コンピュータの前記主画面を前記第２画面に切り換えるように構成された画面アクチュエータと、
前記ラップトップ・シャーシの１または複数の外側部分に配置された１または複数のスピーカと、
前記主画面が前記第２画面であることを示すように構成されたインジケータと
を更に備える、
方法。
【請求項２４】
請求項２３に記載の方法であって、前記ラップトップは、前記上部シャーシに結合されて前記第２画面を覆うように構成されたポリプロピレン製カバーを更に備え、前記上部シャーシは上部トラックおよび下部トラックを更に備え、前記上部トラックおよび前記下部トラックは、前記上部トラックと前記下部トラックの長手方向に沿って前記ポリプロピレン製カバーを案内するように構成され、前記上部シャーシは、前記ポリプロピレン製カバーを収納するように構成されたハウジングを更に備える、方法。
【請求項２５】
請求項１８に記載の方法であって、前記方法は、デュアル・モニタ・ディスプレイ・ユニットと電気的に通信するコンピュータで実行され、前記デュアル・モニタ・ディスプレイ・ユニットは、
画面部分シャーシと、前記デュアル・モニタ・ディスプレイ・ユニットを支持するように構成されるベース部分シャーシとを備えるデュアル・ディスプレイ・シャーシと、
前記デュアル・ディスプレイ・シャーシの前記画面部分シャーシに結合される第１画面と、
前記デュアル・ディスプレイ・シャーシの前記画面部分シャーシに、前記第１画面と反対の側で、結合される第２画面と、
コンピュータのモニタ接続ポートに第１画面を接続するように構成されたモニタ・コネクタと、
前記コンピュータのユニバーサル・シリアル・バス（ＵＳＢ）ポートに第２画面に接続するように構成された２画面アダプタと
を備える、
方法。
【発明の詳細な説明】
【技術分野】
【０００１】
関連出願に対する相互参照
本願は、「ＡＰＰＡＲＡＴＵＳ，ＳＹＳＴＥＭ，ＡＮＤ  ＭＥＴＨＯＤ  ＦＯＲ  ＰＲＥＳＥＮＴＩＮＧ  ＩＭＡＧＥＳ  ＩＮ  Ａ  ＭＵＬＴＩＰＬＥ  ＤＩＳＰＬＡＹ  ＥＮＶＩＲＯＮＭＥＮＴ（複数ディスプレイ環境でイメージを提示する装置、システム、および方法）」という名称の、２００６年１２月１８日に出願されたＡｂｅｌ  Ｄａｖｉｓの米国仮特許出願第６０／８７０，５７９号の特典を主張する。
【０００２】
本発明は、主画面に表示されるイメージを選択し、１または複数の２次画面に提示するソフトウェアおよびハードウェアに関する。詳細には、本発明は、第１画面に示される動的プログラム表示の選択された部分を第２画面に提示することに関する。
【背景技術】
【０００３】
コンピュータが成熟し続けるにつれて、様々な状況でより多くの用途を得つつある。コンピューティング・システムは、銀行、スーパーマーケット、および他の小売店などの状況でますます一般的になりつつあり、そこでは、取引を完了するために使用されることも多い。こうしたシステムの多くは、取引を制御する人（金銭出納係など）により使用される主ディスプレイと、情報を受ける人（顧客など）により使用される２次ディスプレイという２つのディスプレイを有する。しかしながら、多くの場合、一部の情報だけが共有されるべきである。例えば、金銭出納係は、その金銭出納係の画面上で複数の口座（アカウント）を開いているが、第２ディスプレイでは顧客の口座に関する情報だけを分け与えたいことがある。
【０００４】
一部の情報が共有される別の一般的な環境は、販売およびプレゼンテーションを含む。
現在、個人が第２画面に表示するためにプレゼンテーションをまとめることを可能にする複数のアプリケーションが入手可能である。しかしながら、これらのアプリケーションは、「事前にパッケージングされた」プレゼンテーションに対してのみ有効である。即ち、プレゼンテーションを行う者（プレゼンタ）は、会合（ミーティング）の前に、すべての材料をまとめ、編成する必要がある。プレゼンテーション中に、ユーザが、追加の情報を必要とし、それを第２画面に提示したい場合、ユーザは、プレゼンテーション・ソフトウェアをシャットダウンして、一般の表示または「ミラー・モード」に入らなければならず、その場合に、オーディエンス（聴衆）は、追加の材料へのアクセスを得ようと試みているプレゼンタにより実施される操作のすべてを見る。プレゼンテーション中に、聴衆全体が見ている中で、追加の材料を求めてファイル、プログラム、情報の中を捜すことは、一般に、プレゼンタが得ようとする洗練されたプロフェッショナルな雰囲気を伝えられない。
【０００５】
他の難点は、提示されている情報と聴衆が対話する能力が限定されていることである。１対１のプレゼンテーションであっても、聴衆にとって、質問をするときにディスプレイの特定の部分を参照することはしばしば困難である。例えば、長い文書が表示される場合、見ている人が特定の行についての質問を有することがある。しかしながら、プレゼンタが特定の行を迅速かつ容易に見ることができるように引用することは、困難である。
【０００６】
最後に、ラップトップなどのプレゼンテーションを行うシステムは、一般に、２人の人により容易に使用できるようには設計されていない。大部分のシステムは単一の画面を使用し、プレゼンタと聴衆が共に共有することを必要とする。複数の画面を有するものは、両方のユーザから入力を受け取るようには構成されない。また、複数の画面を有するものは、第２画面に、プレゼンテーション環境の外部の第１ユーザに対して追加の利点を提供させるようにも構成されない。
【発明の概要】
【０００７】
従って、複数画面環境で効果的にプレゼンテーションを行うシステムおよび装置が求められている。理想的には、システムは、第１ユーザが動的コンテンツを有するプレゼンテーションを作成することを可能にすべきであり、そして、第１ユーザが、情報および操作のすべてを聴衆と共有することなく、追加のプレゼンテーション機能を作成し、また、プレゼンテーションを変更することも可能にすべきである。更に、そのような環境のためのシステムは、理想的には、複数のクライアントから入力を同時に受け取って処理すべきであり、また、他から来る入力に関する情報を各ユーザに提供すべきである。
【０００８】
本発明は、現在の技術に対して、具体的には、まだ完全に解決されていない当技術分野での問題および必要に応じて開発された。従って、本発明は、複数ディスプレイ環境でイメージを提示する装置、システム、および方法を提供するために開発された。
【０００９】
本発明は、複数の画面に出力を表示するコンピュータ実行可能命令を有するコンピュータ可読媒体を含む。命令は、主画面からの選択を第１クライアントから受け取る命令を含み、選択は、主画面に表示されるイメージと、主画面に表示されるプログラムの一部とのうちの一つを含む。命令はまた、第１クライアントから受け取った主画面からの選択を１または複数の２次画面に表示する命令をも含み、選択された部分は、選択された部分のソースとは別にされたものである。
【００１０】
主画面からの選択が、主画面に表示されるプログラムの一部である場合、主画面からの選択（選択されたもの）を１または複数の２次画面に表示することはまた、主画面に表示されるプログラムの選択された部分の表示の変化に応答して、１または複数の２次画面の表示を動的に更新することをも含む。命令はまた、主画面でユーザ応答型グラフィカル・ユーザ・インターフェース（ＧＵＩ）主画面選択ツールを、第１クライアントに提示することもできる。ある実施形態では、第１クライアントは、主画面選択ツールのキャプチャ・ツールを使用して選択を行う。主画面選択ツールを提供することは、１または複数の２次画面のうちの１つからの入力を第２クライアントから受け取るための命令、および主画面の主画面選択ツール上にその入力を表示するための命令を提供することを含む。
【００１１】
ある実施形態では、第１ポインタが主画面と関連付けられ、第２ポインタが、１または複数の２次画面のうちの１つと関連付けられる。そのような実施形態では、命令は、主画面のキャプチャされたプログラムのエリア内に位置する第１ポインタに応答して２次画面に第１ポインタを表示する命令を、更に含むことができ、第１ポインタは、主画面に関連する第１クライアントからの入力に応答するように構成される。更に、主画面の主画面選択ツールにおいて第２ポインタを表示する命令が存在し、第２ポインタは、２次画面に関連する第２クライアントからの入力に応答するように構成される。
【００１２】
主画面選択ツールは、プレゼンテーション・ビュー・エリアおよびプライベート・モード選択機能を更に含むことができる。命令は、第１ユーザがプライベート・モード選択機能を活動化させたことに応答して、主画面選択ツールのプレゼンテーション・ビュー・エリア上の最後のイメージを、１または複数の２次画面に静的イメージとして表示する命令を含む。
【００１３】
命令は、主画面からの選択を、主画面選択ツールのクリップ・エリアに配置する命令を更に含むことができる。そのような場合、主画面からの選択（選択されたもの）を１または複数の２次画面に表示することは、第１ユーザが主画面選択ツールのクリップ・エリアからプレゼンテーション・ビュー・エリアへ選択をドラッグしたことに応答して、その選択を１または複数の２次画面に表示することを更に含み、その選択は更に、その選択を含むプレゼンテーション・ビュー・エリア上の位置に対応する１または複数の２次画面上の位置に表示される。
【００１４】
また、複数ディスプレイ環境でイメージを提示するシステムも開示される。システムは、上記の命令を実行するように構成されたモジュールに加えて、ラップトップ・コンピュータを含み、主画面が、ラップトップ・コンピュータの第１画面であり、２次画面が、ラップトップ・コンピュータの第２画面である。第１画面は、上部シャーシの内側面に結合されたタブレット画面を含み、第２画面は、上部シャーシの外側面に結合されたタブレット画面を含む。
【００１５】
更に、ラップトップは、ユーザがパワー・アクチュエータを活動化させたことに応答してラップトップ・コンピュータを始動するように構成された、ラップトップ・シャーシの外部に配置されるパワー・アクチュエータと、ユーザが画面アクチュエータを活動化させたことに応答してラップトップ・コンピュータの主画面を第２画面に切り換えるように構成され、ラップトップ・シャーシの外部に配置される画面アクチュエータとを備える。ラップトップはまた、ラップトップ・シャーシの外側の１または複数の部分に配置された１または複数のスピーカと、主画面が第２画面であることを示すように構成されたインジケータとを有する。
【００１６】
ある実施形態では、ラップトップは、ポリプロピレン製のカバーを更に備え、ポリプロピレン・カバーは、上部シャーシに結合され、第２画面を覆うように構成されたものであり、上部シャーシは、上部トラックおよび下部トラックを更に備え、上部トラックと下部トラックとはそれらの長手方向に沿ってポリプロピレン・カバーを案内するように構成されたものであり、上部シャーシは、ポリプロピレン・カバーを受ける（収納する）ように構成されたハウジングを更に備える。
【００１７】
システムは、赤外線光のビームを放射する赤外線スタイラスを更に備えることができる。そのようなシステムでは、ラップトップの上部シャーシの内側面が、電荷結合デバイス（ＣＣＤ）イメージ・センサおよび相補型金属酸化物半導体（ＣＭＯＳ）イメージ・センサのうちの１または複数のもの、赤外線光のビームの第１画面上での位置を求めるように構成された赤外線検出モジュール、および赤外線スタイラス・ハウジングを更に備える。
【００１８】
複数ディスプレイ環境でイメージを提示する更に別のシステムは、デュアル・モニタ・ディスプレイ・ユニットの形態である。デュアル・モニタ・ディスプレイ・ユニットは、画面部分シャーシおよびベース部分シャーシを有するデュアル・ディスプレイ・シャーシを備え、ベース部分シャーシが、デュアル・モニタ・ディスプレイ・ユニットを支持するように構成される。ディスプレイ・ユニットはまた、デュアル・ディスプレイ・シャーシの画面部分シャーシに結合された第１画面と、第１画面と反対側の、デュアル・ディスプレイ・シャーシの画面部分シャーシに結合された第２画面とを有する。ディスプレイ・ユニットはまた、コンピュータのモニタ接続ポートに第１画面を接続するように構成されたモニタ・コネクタと、コンピュータのユニバーサル・シリアル・バス（ＵＳＢ）ポートに第２画面を接続するように構成されたデュアル画面アダプタとを備える。
【００１９】
本発明の利点が容易に理解されるように、上記で簡潔に述べた本発明のより具体的な説明を、添付の図面に示される特定の実施形態を参照して行う。これらの図面は本発明の典型的な実施形態のみを示すものであり、従って、本発明の範囲を限定するものとみなすべきではないことを理解した上で、添付の図面を使用して本発明を更に具体的かつ詳細に説明する。
【図面の簡単な説明】
【００２０】
【図１】図１は、複数画面環境でイメージを提示するシステムの一実施形態を示す概略ブロック図である。
【図２】図２は、本発明による、複数画面にイメージを提示するように構成された装置の一実施形態を示す概略ブロック図である。
【図３】図３は、主画面選択ツールの一実施形態を示す概略ブロック図である。
【図４】図４は、主画面選択ツールの使用の例を示す概略ブロック図である。
【図５】図５は、本発明による、複数画面にイメージを提示する一実施形態を示す概略流れ図である。
【図６】図６は、本発明による複数画面を備えるラップトップ・コンピュータの図である。
【図７】図７は、本発明による複数画面を備えるラップトップ・コンピュータの第２の斜視図である。
【図８】図８は、デュアル・モニタ・ディスプレイ・ユニットの図である。
【発明を実施するための形態】
【００２１】
本明細書に記載の機能単位の多くは、その実装の独立性をより具体的に強調するためにモジュールとして符号が付けられている。例えば、モジュールは、カスタムＶＬＳＩ回路やゲート・アレイや、論理チップやトランジスタなどの市販の半導体や、他の個別の構成要素を含むハードウェア回路として、実装することができる。また、モジュールは、プロセッサおよびメモリデバイスや、フィールド・プログラマブル・ゲート・アレイや、プログラマブル・アレイ・ロジックや、プログラマブル論理デバイスなどのプログラマブル・ハードウェアとして、実装することもできる。
【００２２】
また、モジュールは、様々なタイプのプロセッサにより実行されるソフトウェアにおいて実装することもできる。実行可能コードの識別されるモジュールは、例えば、コンピュータ命令の１または複数の物理ブロックまたは論理ブロックを含むことができ、それは、例えば、オブジェクト、プロシージャ、または関数として編成され得る。しかしながら、識別されるモジュールの実行可能命令を物理的に一緒の位置に配する必要はなく、異なる場所に格納された異なる命令を含むことができ、その異なる命令が互いに論理的に結合されたときにモジュールを構成し、そのモジュールに関して述べられる目的を達成することも可能である。
【００２３】
実際、実行可能コードのモジュールは、単一の命令または多数の命令であり得、幾つかの異なるコード行にわたって、異なるプログラムの間で、また、幾つかのメモリ・デバイスにわたって、分散させることができる。同様に、演算データは、本明細書ではモジュール内で識別し、示すことができ、また、演算データは、適切な形態で実施し、任意の適切なタイプのデータ構造に編成することができる。演算データを単一のデータ・セットとして集めることができ、また、異なる記憶デバイスを含む異なる位置にわたって分散させることができる。
【００２４】
本明細書全体を通して、「一つの実施形態」またはそれと類似の用語を記載している場合、これは、実施形態に関連して説明される特定の機能、構造、特徴が、本発明の少なくとも１つの実施形態に含まれることを意味する。従って、本明細書全体を通して、「一つの実施形態では」という語句およびそれと類似の語句は、必ずしもそうではないが、すべて同じ実施形態を指すことがある。
【００２５】
更に、本発明の記載した機能や構造や特徴を、１または複数の実施形態で任意の適切な様式で組み合わせることができる。以下の説明では、本発明の実施形態の完全な理解を与えるために、プログラミング、ソフトウェア・モジュール、ユーザ選択、ネットワーク・トランザクション、データベース照会、データベース構造、ハードウェア・モジュール、ハードウェア回路、ハードウェア・プロセッサおよびメモリ、ハードウェア・チップの例などのような、多数の特定の詳細が説明される。しかしながら、関連技術分野の技術者は、この特定の詳細のうちの１または複数のものを用いずに、また、他の方法、構成要素、材料などと共に、本発明を実施できることを理解するであろう。別の場合には、本発明の態様を不明瞭することを避けるために、周知の構造や材料や動作が詳細には示されず、また、説明されない。
【００２６】
図１は、本発明による、複数の画面にイメージを表示するシステム１００の一実施形態を示すブロック図である。システムはプラットフォーム１０２を備え、プラットフォーム１０２は、中央演算処理装置（ＣＰＵ）１０６、メモリ１０４、および入出力（Ｉ／Ｏ）回路１０８を備える。当業者は、プラットフォーム１０２が標準コンピューティング操作のために必要なハードウェア要素およびソフトウェア要素を備えることを理解されよう。プラットフォーム１０２の例は、限定はしないが、レノボ、ヒューレット・パッカード、デルなどの会社により製造されたパーソナル・コンピュータ（ＰＣ）を含む。
【００２７】
システム１００は、マウス１１２やキーボード１１０などの入力デバイスを更に備える。Ｉ／Ｏ回路１０８は、入力デバイスに接続して、ユーザ入力に基づいて適切な応答を与えるように構成される。追加の入力デバイスは、主画面１２０および２次画面１２２を更に含むことができる。一実施形態では、主画面１２０および２次画面１２２は、タブレット画面である。タブレット画面は、接触（ユーザにより直接的に、またはスタイラスなどを通じて機械的に）、光、または他の一般的「タッチスクリーン」技術を含む様々な刺激に応答するように構成される。更に、以下でより詳細に論じるように、タブレット画面を、赤外線ビームまたは他の光源に応答するように構成することができる。マウス１１２、キーボード１１０、主画面１２０、２次画面１２２などの入力デバイスからの入力に応答するＩ／Ｏ回路１０８のコンフィギュレーションは、当業者には周知である。
【００２８】
主画面１２０および２次画面１２２はまた、標準コンピュータ・モニタ、テレビジョン、プロジェクタ、または当技術分野で既知の静的イメージおよび動的イメージを提示する他の手段などのような、他のディスプレイ・ユニットをも含むこともできる。図示される実施形態は単一の２次画面１２２のみを示すが、本発明から逸脱することなく、システム１００は、複数の２次画面１２２を含むことができる。
【００２９】
システム１００は、主画面１２０および２次画面１２２を更に備える。可能な入力デバイスとして働くことに加えて、主画面１２０および２次画面１２２は、プラットフォーム１０２で動作するプログラムのための共通出力デバイスである。一実施形態では、主画面１２０は、第１ユーザ１２６により直接的に使用される出力ソースである。当業者は、第１ユーザ１２６により使用される出力ソースとして共に働くように複数のモニタまたはディスプレイを構成できることを、理解されよう。従って、主画面１２０は、それ自体、コンピュータ・モニタなどの複数のハードウェアを含むことができる。同様に、２次画面１２２は、第２ユーザ１２８により直接的に使用される出力ソースである。ある実施形態では、第１ユーザ１２６および第２ユーザ１２８はユーザである。しかしながら、ある実施形態では、第１ユーザ１２６および第２ユーザ１２８は、コンピュータ・クライアント・システムであり得る。
【００３０】
第１ユーザ１２６は、プラットフォーム１０２の一部として使用可能なプログラムおよび機能へアクセスすることができ、第２ユーザ１２８は、第１ユーザ１２６により第２ユーザ１２８に対して使用可能にされたプログラムおよび機能へアクセスすることができる。
【００３１】
図２は、本発明による、複数画面にイメージを提示するように構成された装置の一実施形態を示す概略ブロック図である。図示される実施形態では、プラットフォーム１０２は、ディスプレイ・モジュール２０２、入力モジュール２０４、２次入力モジュール２０６、第１ポインタ・モジュール２０８、第２ポインタ・モジュール２１０、およびプライベート・モード・モジュール２１２を更に備える。
【００３２】
入力モジュール２０４は、第１ユーザ１２６から主画面１２０からの選択を受け取るように構成される。選択（選択されるもの）は、主画面１２０上のイメージと、主画面１２０で表示されるプログラムの一部とのうちの一つのものを含むことができる。本明細書において使用される際、イメージは、主画面１２０上に描写（レンダリング）された表現である。更に、選択されるイメージは、主画面１２０上に表示されるイメージのすべてまたは一部の静的表現である。従って、主画面１２０が動的プログラム（例えばムービーなど）を実行中に、イメージが主画面１２０から選択される場合、イメージは、選択が第１ユーザ１２６により行われた瞬間の、プログラムの選択された部分の静的イメージである。選択プロセスは以下で更に詳細に説明される。
【００３３】
プログラムの一部は、第１ユーザ１２６により主画面１２０からなされた動的選択または非静的選択を指す。従って、主画面１２０上のディスプレイに生じる変化は、プログラム選択の一部である。ムービーの例を再び参照するために、第１ユーザ１２６は、ムービーを実行するプログラムの一部（例えば左上部分）を選択することができ、そのプログラムの部分の選択は、その特定の部分についてのキャプチャ時のイメージ（画像）と、コンテンツの動的変化とを共に含む。従って、そのムービーのその部分が２次画面１２２に表示される場合、主画面１２０上のそのプログラムの左上部分の表示の変化も、２次画面１２２に示される。
【００３４】
入力モジュール２０４は更に、第１ユーザ１２６から入力を受け取るように構成される。上記で論じたように、入力デバイスは、マウス１１２およびキーボード１１０を含むことができる。一実施形態では、入力モジュール２０４は更に、第１ユーザ１２６から主画面１２０からの入力を受け取るように構成される。例えば、主画面１２０はタブレット画面であり得る。
【００３５】
プラットフォーム１０２は、２次入力モジュール２０６を更に含む。２次入力モジュール２０６は、第２ユーザ１２８から２次画面１２２からの入力を受け取る。上記と同様に、２次画面１２２は、第２ユーザ１２８から入力を受け入れるタブレット画面とすることができる。２次入力モジュール２０６および入力モジュール２０４は、Ｉ／Ｏ回路１０８と通信し、信号を適切な操作へと変換するように構成される。
【００３６】
プラットフォーム１０２は、ディスプレイ・モジュール２０２を更に備える。ディスプレイ・モジュール２０２は、第１ユーザ１２６から受け取った主画面１２０からの選択を２次画面１２２に表示するように構成される。上述のように、選択はイメージであり得る。選択はまた、プログラムの一部であり得る。上記で論じたように、選択がプログラムの一部である場合、ディスプレイ・モジュール２０２は、主画面１２０に表示されるプログラムの部分の表示の変化に応答して、２次画面１２２の表示を動的に更新する。更に、選択された部分は、選択された部分のソースから分離している。従って、選択された部分が、主画面１２０と２次画面１２２との双方に示され、ある実施形態では、それらは互いに独立している。
【００３７】
プログラムまたはプログラムの一部が選択されたときに、どのような変更を行う必要があるかを判定するために、ディスプレイ・モジュール２０２は、プログラムに関連し得るメッセージを聴取するように構成される。一実施形態では、こうしたメッセージは、Ｗｉｎｄｏｗｓ（登録商標）環境におけるＷｉｎｄｏｗｓ（登録商標）メッセージである。しかしながら、当業者は、異なるオペレーティング・システム環境では、それらと同等のメッセージを聴取または監視するようにディスプレイ・モジュール２０２を構成できることを、理解されよう。
【００３８】
例えば、第１ユーザ１２６は、プログラムをアプリケーションＧＵＩからキャプチャして、２次画面１２２に表示し、プログラム表示に変更が行われたときに更新することを、選ぶことができる。プログラムがワード・プロセッシング・プログラムであり、新しいテキストが第１ユーザ１２６により入力される場合、第１ユーザ１２６は、そうした変更を２次画面１２２に示したいことがある。ディスプレイ・モジュール２０２は、表示の変更を必要とするプログラムの変更が発生したことを示す関連メッセージを監視し、その情報を使用して、２次画面１２２における適切な対応する変更を作成する。
【００３９】
一実施形態では、ディスプレイ・モジュール２０２は、変更を監視すべき、ユーザ選択のプログラムのリストを含むデータ構造を、含むことができる。データ構造におけるプログラムの表示データに影響を及ぼすメッセージが発行されたとき、ディスプレイ・モジュール２０２は、同様の要求を発行して、２次画面１２２に表示される情報をそれに応じて更新させる。
【００４０】
ある実施形態では、システム１００は、主画面１２０に表示される主画面選択ツール２２０を更に含む。主画面選択ツール２２０は、ユーザ応答型グラフィカル・ユーザ・インターフェース（ＧＵＩ）を含む。主画面選択ツール２２０は、以下で更に詳細に論じるプレゼンテーション・ビュー・エリア３２０を更に含む。ディスプレイ・モジュール２０２はまた、主画面１２０からの入力および２次画面１２２からの入力を、主画面選択ツール２２０のプレゼンテーション・ビュー・エリア３２０に表示するようにも構成される。
【００４１】
第１ポインタ・モジュール２０８は、第１ユーザ１２６からの入力に応答し、第１ポインタが主画面１２０のキャプチャされたプログラムのエリア２２２内に配置されるときに、２次画面１２２に第１ポインタを表示するように、構成される。主画面選択ツール２２０は、第１ユーザ１２６からの入力に基づいて、キャプチャされたプログラムのエリア２２２を定義する。上記で示した第１ポインタは、ＯＳ  ＧＵＩの一部として主画面１２０に現れるポインタ（マウス・ポインタなど）に関して述べたものであり、第１ユーザ１２６がプラットフォーム１０２上で動作する一定のプログラムおよび機能と対話することを可能にする。
【００４２】
キャプチャされるプログラムのエリア（captured program area、キャプチャ・プログラム・エリア）２２２は、主画面１２０上の表示を用いてのプログラムの選択を表す。ある実施形態では、キャプチャ・プログラム・エリア２２２はプログラムＧＵＩ全体であり、別の実施形態では、キャプチャ・プログラム・エリア２２２は、主画面１２０に表示されるプログラムＧＵＩの一部である。
【００４３】
第２ポインタ・モジュール２１０は、２次画面１２２に関連する第２ユーザ１２８からの入力に応答するように構成される。一実施形態では、２次画面１２２がタブレット画面であり、Ｉ／Ｏ回路１０８に適切に接続されており、入力はスタイラスにより行われる。
【００４４】
第１ポインタ・モジュール２０８および第２ポインタ・モジュール２１０は、プラットフォーム１０２が同時に複数の入力デバイス信号を適切に受け取って解釈することができるように構成される。従って、第１ユーザ１２６と第２ユーザ１２８とは共に、それぞれの指定された主入力デバイスおよび２次入力デバイスを介して、システム１００への入力を入力することができる。ディスプレイ・モジュール２０２は更に、複数の同時入力をサポートするように構成され、主画面１２０上の主画面選択ツール２２０のプレゼンテーション・ビュー・エリア３２０に第２ポインタを表示するように構成される。
【００４５】
従って、第２ユーザ１２８が第１ユーザ１２６とは独立に入力を入力することができるだけではなく、第１ユーザ１２６は、第２ユーザ１２８がどのような操作を実施しているかを主画面選択ツール２２０上で確認することもできる。そのような操作は、プレゼンテーションの特定の部分をポインティングする（指す）ことを含むことができ、また、ディスプレイに対する編集を入力することを含むこともでき、例えば、第２ユーザ１２８は、テキスト文書に対する改訂を提案でき、そのためには、例えば、テキストの一部をマウスでクリックし、次いで提案されるテキストを２次キーボードで入力する。
【００４６】
プラットフォーム１０２は、プライベート・モード・モジュール２１２を更に備える。プライベート・モード・モジュールは、第１ユーザ１２６によりイネーブルとされると、２次画面１２２がプレゼンテーション・ビュー・エリア３２０の最後のイメージを２次画面１２２の静的イメージとして表示するように、構成される。一実施形態では、プライベート・モード・モジュールは、主画面選択ツール２２０の一部であるプライベート・モード選択機能を通じて使用可能にされる。プライベート・モード・モジュール２１２を活動化することにより、第１ユーザ１２６は、２次画面１２２上の表示に関する選択のうちの１または複数のものがプログラムであっても、２次画面１２２上のイメージをフリーズすることができる。上述のように、プログラムの一部が選択される場合、２次画面１２２上のイメージは継続的に更新される。プライベート・モード・モジュール２１２は、第１ユーザ１２６が、この連続的キャプチャ機能を本質的に使用不能にすること、および２次画面１２２を介して第２ユーザ１２８に対して操作を示すことなく、変更を行うことや操作を実施することを、可能にする。
【００４７】
図３は、主画面選択ツール２２０  ＧＵＩの一実施形態を示す。上記で論じたように、主画面選択ツールは、主画面１２０に表示されるＧＵＩであり、第１ユーザ１２６が、２次画面１２２に表示することのできる選択３３２ａ〜ｂなどの選択を行うことを可能にする。更に、主画面選択ツール２２０は、第２ユーザ１２８からの入力情報をプレゼンテーション・ビュー・エリア３２０に表示し、第２ユーザ１２８がどのような入力および情報を通信することを望むかを第１ユーザ１２６が容易に確認することを、可能にする。
【００４８】
主画面選択ツール２２０はキャプチャ・ツール３１０を含む。第１ユーザ１２６は、キャプチャ・ツール３１０を使用して選択３３２ａ〜ｂを作成し、次いで選択３３２ａ〜ｂを２次画面１２２に表示することができる。一実施形態では、第１ユーザ１２６がキャプチャ・ツール３１０を選択するとき、第１ユーザ１２６は、マウスを使用して、キャプチャして表示に使用可能とすることを望むエリアを取り囲むボックスを、描画することができる。当業者は、本発明から逸脱することなく、表示するエリアを選択する他の方法を使用できることを理解されよう。キャプチャ・ツール３１０は更に、選択が、単にイメージ選択であるか、それともプログラムの一部の選択であるかを、第１ユーザ１２６が指定することを可能にする。第１ユーザ１２６がキャプチャ・ツール３１０を使用して選択を行うとき、その選択（選択されたもの）がクリップ・エリア３３０に配置される。
【００４９】
クリップ・エリア３３０は、選択３３２ａ〜ｂのための記憶エリアとして働き、第１ユーザ１２６は、そこからスライド３２２を作成することができる。２つの選択３３２ａ〜ｂが示されているが、クリップ・エリア３３０は、何らかの特定の数の選択３３２ａ〜ｂに限定されるものではない。一実施形態では、それぞれの選択３３２ａ〜ｂは、選択される関連イメージまたはプログラムのサムネイル・イメージであり、第１ユーザ１２６が、キャプチャされているもの及び表示のために使用可能なものを容易に識別できるようにする。
【００５０】
次いで、第１ユーザ１２６は、選択３３２ａ〜ｂのうちの１または複数のものを主画面選択ツール２２０のプレゼンテーション・ビュー・エリア３２０へ移動することができる。選択３３２ａ〜ｂがプレゼンテーション・ビュー・エリア３２０に配置されると、選択３３２ａ〜ｂは２次画面１２８に表示するために使用可能となる。プレゼンテーション・ビュー・エリア３２０は、１または複数のスライド３２２ａ〜ｂから作成されることができる。スライド３２２ａ〜ｂのそれぞれは、プレゼンテーション・ビュー・エリア３２０の一部として２次画面１２２上に表示するための特定の構成を表す。一実施形態では、図３に示されるように、個々のスライドが互いに関連してタブとして表現される。第１ユーザ１２６は、タブ部分をクリックすることにより活動化するスライドを選ぶ。特定のスライド３２２ａ〜ｂ（図示されたスライド３２２ａなど）がアクティブであるとき、そのスライド３３２ａを構成する選択３３２ａ〜ｂが、プレゼンテーション・ビュー・エリア２３０と２次画面１２２とに示される。
【００５１】
主画面選択ツール２２０は、パブリック・モード３１２選択機能を更に含むことができる。上記で論じたように、第１ユーザ１２６がパブリック・モード３１２を活動化するとき、プレゼンテーション・ビュー・エリア３２０内の選択３３２ａ〜ｂが活動化され、２次画面１２８に示される。更に、選択３３２ａ〜ｂがプログラムの一部を含む場合、プレゼンテーション・ビュー・エリア３２０および２次画面１２８の表示が、主画面１２６に表示されるプログラムの部分の表示の変化に応答して、動的に更新される。ある実施形態では、このプログラムの部分は、キャプチャ・プログラム・エリア２２２と同等のものである。選択３３２ａ〜ｂがイメージである場合、静的イメージ選択３３２ａ〜ｂが、主画面選択ツール２２０および２次画面１２８に表示される。
【００５２】
主画面選択ツール２２０は、プライベート・モード３１４選択機能を更に含む。第１ユーザ１２６がプライベート・モード３１４を活動化するとき、プレゼンテーション・ビュー・エリア３２０および２次画面１２２の表示が、静的に保たれる。即ち、第１ユーザ１２６がプライベート・モード３１４を選択する前のプレゼンテーション・ビュー・エリア３２０の最後のイメージが、プレゼンテーション・ビュー・エリア３２０と２次画面１２２と双方で静的イメージとして保たれる。プライベート・モード３１４は、２次画面１２２に操作を表示することなく、第１ユーザ１２６が操作を実施することを可能にする。例えば、第１ユーザ１２６は、表示のために、新しい材料で追加のスライドを作成することができる。
【００５３】
ミラー・モード３１６選択機能は、第１ユーザ１２６が、２次画面１２２を第１ユーザ１２６の画面の反映として扱うことを可能にする。従って、ミラー・モードのとき、２次画面１２２は、主画面１２０の表示と同一の表示を示す。ミラー・モード３１６コンフィギュレーションを起動する手段は、ほとんどの標準的なオペレーティング・システムの一部とされている。しかしながら、主画面選択ツール２２０が、マルチディスプレイ環境でこの機能を容易に活動化することを実現するのに対して、ほとんどのオペレーティング・システムは、この機能をメニューおよびオプションの深い所に隠している。ミラー・モード３１６を主画面選択ツール２２０ＧＵＩから使用可能にすることにより、本発明は、有用なツールへのアクセスを容易にする。
【００５４】
外観モジュール３１８は、第１ユーザ１２６が主画面１２０および２次画面１２２に関する外観を構成することを可能にするツールを提供する。外観モジュール３１８を活用して、特定の用途に対する適切な「ルック・アンド・フィール（look and feel）」を提供することができる。例えば、共同作業では、第１ユーザ１２６がＷｉｎｄｏｗｓ（登録商標）ＸＰ（登録商標）プラットフォームを実行するコンピュータを使用している場合、第１ユーザ１２６は、主画面１２０と２次画面１２２とが共にＷｉｎｄｏｗｓ（登録商標）ＸＰ（登録商標）の特徴的構成を有することを望むであろう。対照的に、銀行では、第１ユーザ１２６は、主画面１２０に対してはＷｉｎｄｏｗｓ（登録商標）ＸＰ（登録商標）プラットフォームの特徴的構成を望み得るが、２次画面１２２での外観について特定の「スキン」またはスタイルを開発していることがある。第１ユーザ１２６は、様々なスキンから選択して、すべての参加者に対しての適切なスタイルを提供することができる。
【００５５】
ある実施形態では、主画面選択ツール２２０は、スライド３２２ａ〜ｂを提示および作成することが容易となるように、アドバンス・ツール３１５およびスライド・ツール３２３を更に含むことができる。アドバンス・ツール３１５を使用して、プレゼンテーション・ビュー・エリア３２０でスライド３２２ａ〜ｂを前方または後方に順次移動することができる。第１ユーザ１２６はまた、プレゼンテーション・ビュー・エリア３２０のスライド３２２のタブ部分をクリックすることにより、閲覧するスライドを選択することもできる。スライド・ツール３２３を使用して、プラス記号またはマイナス記号を選ぶことにより、プレゼンテーション・ビュー・エリア３２０に対してのスライド３２２ａ〜ｂの追加または除去を行うこともできる。スライドを追加および除去する他の方法も、スライド・ツール３２３と共に、またはスライド・ツール３２３とは独立に、実装されることができる。例えば、第１ユーザ１２６は、プレゼンテーション・ビュー・エリア３２０でマウスの右クリックを行い、その結果として得られるドロップダウン・メニューから、スライド３２２ａ〜ｂを追加または削除する機能を選択することができる。
【００５６】
図４は、主画面選択ツール２２０の使用の一例を示す。この図は、主画面１２０、主画面選択ツール２２０、および２次画面１２２を示す。この図は、主画面選択ツール２２０を主画面１２０上に示しておらず、主画面１２０とは別に示されているが、分離させているのは図を見やすくするためである。多くの実施形態では、主画面選択ツール２２０は、主画面１２０表示の一部分でもある。
【００５７】
図示される例では、第１ユーザ１２６が、主画面１２０上で動作し表示されるプログラム４２０と、イメージ４２２およびイメージ４２４とを有する。イメージ４２２は、例えばピクチャである。第１ユーザ１２６は、プログラム選択モードでキャプチャ・ツール３１０を活動化し、プログラム４２０からプログラム選択４１０を行う。プログラム選択４１０は、主画面１２０に表示されるプログラム４２０の一部、またはプログラム全体である。第１ユーザ１２６が、該ユーザの望む選択を行ったことを示すと、プログラム選択４１０が、主画面選択ツール２２０のクリップ・エリア３３０に現れる。更に、主画面選択ツール２２０は、関連エリア（この場合、矩形で示されるプログラム４２０）を、キャプチャ・プログラム・エリア２２２と指定する。
【００５８】
次いで、第１ユーザ１２６は、主画面１２０からイメージをキャプチャすることを決定する。従って、第１ユーザ１２６は、キャプチャ・ツール３１０のイメージ・モードを活動化し、イメージ４２２を取り囲む選択を行う。上記で論じたように、イメージのキャプチャは、主画面１２０上の静的イメージに制限されず、例えば、イメージ選択４１２は、ムービーのキャプチャされたフレームや、または単に、テキスト編集プログラムなどのプログラムの静的表示でもよい。キャプチャ・ツール３１０を使用するイメージ選択プロセスが完了すると、イメージ選択４１２がクリップ・エリア３３０に現れる。図示するように、クリップ・エリア内の２つの選択４１０および４１２が、ソース選択のサムネイル・イメージとして表示される。
【００５９】
第１ユーザ１２６は、操作が２次画面１２２に表示されないように、プライベート・モード３１４を活動化してこれらのステップのすべてを実施した可能性がある。プライベート・モード３１４が活動化されると、第１ユーザ１２６は、プログラム選択４１０およびイメージ選択４１２を使用してスライド３２２ａを構成することができる。一実施形態では、第１ユーザ１２６は、マウス１１２を使用して、クリップ・エリア３３０からプレゼンテーション・ビュー・エリア３２０へプログラム選択４１０をドラッグする。図示されるように、第１ユーザ１２６は、クリップ・エリア３３０からスライド３２２ａの右側の部分へ、プログラム選択４１０をドラッグする。同様に、第１ユーザ１２６は、スライド３２２ａの左下部分へイメージ選択４１２をドラッグする。
【００６０】
スライド３２２ａが構成されると、第１ユーザ１２６は、パブリック・モード３１２を活動化する。プレゼンテーション・ビュー・エリア３２０内のスライド３２２ａの構成が、２次画面１２２に表示される。すなわち、第１ユーザ１２６がクリップ・エリア３３０からプレゼンテーション・ビュー・エリア３２０へ選択４１０および４１２をドラッグしたことに応答して、選択４１０および４１２が、その選択４１０および４１２を含むプレゼンテーション・ビュー・エリア３２０上の位置に対応する２次画面１２２上の位置に、表示される。
【００６１】
パブリック・モード３１２が活動化されるので、２次画面１２２上とプレゼンテーション・ビュー・エリア３２０内の表示が、主画面１２０上の選択されたプログラム４２０（またはそのプログラムの一部）の表示の変更に応答して動的に更新される。例えば、表示されるプログラム４２０は、そのＧＵＩディスプレイ内に「ここにテキスト」という語句を伴うテキスト編集プログラムである。第１ユーザ１２６は、プログラム４２０内で「ここで、このテキストを書く」と読めるようにテキストを変更することができる。第１ユーザ１２６が編集を行うと（テキストを削除したり、新しいテキストの個々の文字を入力するなどのことをすると）、その編集が、プレゼンテーション・ビュー・エリア３２０と２次画面１２２との双方に示される。対照的に、第１ユーザ１２６がイメージ４２２を変更する（例えば、次のピクチャへ移動することにより変更する）場合、パブリック・モード３１２がアクティブであるにも関わらず、プレゼンテーション・ビュー・エリア３２０および２次画面１２２に表されるイメージは静的なものとしてとどまる。
【００６２】
一実施形態では、第１ユーザ１２６が、主画面１２０のキャプチャ・プログラム・エリア２２２（ここでは、プログラム４２０を取り囲む境界と同じと画定される）内に第１ユーザ１２６のポインタを配置すると、スケーリング処理された形のポインタがプレゼンテーション・ビュー・エリア３２０と２次画面との双方に表示される。その結果、第１ユーザ１２６は、容易にポインタを使用してプログラム４２０の選択した部分を指示して、第２ユーザ１２８が２次画面１２２上で見られるようにできる。別の実施形態では、ポインタは、プレゼンテーション・ビュー・エリア内に配置されたときに、２次画面１２２に表示される。従って、パブリック・モード３１２がアクティブな機能である間、プレゼンテーション・ビュー・エリア３２０は、２次画面１２２の表示の正確な複製となり、ポインタの移動を含むプレゼンテーション・ビュー・エリア３２０内のすべての活動が２次画面１２２上に示される。
【００６３】
同様に、第２ユーザ１２８は、別の入力デバイスを使用して、２次画面１２２のエリアを参照することができる。一実施形態では、２次画面１２２はタブレット画面であり、第２ユーザ１２８は、スタイラスを使用して入力を与える。例えば、第２ユーザ１２８が「ここにテキスト」という語句を円で囲んだ場合、プレゼンテーション・ビュー・エリア３２０内の「ここにテキスト」という語句の周りに円が表示される。しかしながら、円はプログラム４２０の上には現れない。代替例としては、第２ユーザ１２８は、語句を「そこにテキスト」と変更することができる。この変更は、プレゼンテーション・ビュー・エリア３２０で反映される。一実施形態では、プログラム４２０は、そのような変更から分離され、第１ユーザ１２６からの許可なしにデータをプログラム４２０自体に反映されないようにする。別の実施形態では、第２ユーザ１２８により行われた変更が、プレゼンテーション・ビュー・エリア３２０の表示とプログラム４２０との双方に波及する。
【００６４】
従って、第２ユーザ１２８は、２次画面１２２上で、第１ユーザ１２６が表示のために選択した情報のみを閲覧することができる。例えば、主画面１２０上のイメージ４２４を、第２ユーザ１２８は２次画面１２２を通じて得ることができない。更に、第１ユーザ１２６は、主画面１２０で使用されるのとは異なるフォーマットで、２次画面１２２上で情報およびイメージを提示することができる。図示されるように、プログラム４２０は、主画面１２０上の位置とは異なる２次画面１２２上の位置に表示される。
【００６５】
当業者は、選択された部分が、選択された部分のソース（イメージ４２２など）から分離されていることを、理解するであろう。従って、第１ユーザ１２６は、選択された部分が２次画面１２２で表示される態様に影響を及ぼすことなく、イメージ４２２を変更または補正することができる。例えば、第１ユーザ１２６は、選択された部分のソースである主画面１２０上のイメージ４２２を、２次画面１２２におけるその選択された部分の表示に影響を及ぼすことなく、閉じたり編集したりすることができる。選択された部分がプログラムの一部（プログラム４２０など）であり、２次画面１２２上のイメージが動的に更新される場合であっても、選択されたプログラムの部分のソースおよびプログラム自体は完全に分離したものとみなされる。
【００６６】
本発明の使用の別の例は、ゲーム用のアプリケーションに関係する。例えば、図６に関連して示されるラップトップ・コンピュータ６００などのようなマルチ・モニタ環境は、本来、ゲーム、特に、個々のプレーヤに対して他のプレーヤに秘密にしなければならない別々の情報が表示されるゲームに、向いている。主画面選択ツール２２０を使用して、そのようなゲームを容易にすることができる。ゲームがチェスである場合、上記で論じたように、チェスのアプリケーションを実行するプログラム４２０を選択し、２次画面１２２に表示することができる。次いで、主画面１２０を使用するプレーヤは、主画面１２０に関連する入力デバイスを介してプレーヤのコマ（ピース）を制御する入力を入力することができる。第２プレーヤは、２次入力デバイスを介して第２プレーヤのコマを制御する入力を入力することができ、例えば、２次画面１２２は、タッチ（接触）に応答するタブレット画面であり得る。上記で論じたように、２つの入力デバイスは、互いに完全に独立して動作することができる。
【００６７】
以下の概略的な流れ図は、全般的に論理的なフローチャートとして記述される。従って、図示される順序および符号が付けられたステップは、提示される方法の一実施形態を示す。示される方法の１または複数のステップまたはその一部分と、機能、論理、または効果の点で等価である他のステップおよび方法も考えられ得る。更に、使用されるフォーマットおよびシンボルは、方法の論理ステップを説明するためのものであり、方法の範囲を限定しないことを理解されたい。様々なタイプの矢印や線が流れ図で使用されることがあるが、それらが対応する方法の範囲を限定しないことを理解されたい。実際に、方法の論理的な流れのみを示すために何らかの矢印や他の結合子を使用することもできる。例えば、矢印は、図示される方法の列挙されたステップ間における指定されない持続時間の待機期間や監視期間を示すことができる。更に、特定の方法が行われる順序は、図示される対応するステップの順序に厳密に準拠する場合もしない場合もある。
【００６８】
図５は、本発明による、複数画面にイメージを提示する一実施形態を示す概略的な流れ図である。方法５００は、入力モジュール２０４が第１ユーザ１２６から主画面１２０からの選択を受け取ること（５０２）で開始する。ディスプレイ・モジュール２０２は、主画面１２０からの選択を２次画面１２２に表示する。
【００６９】
選択が、主画面１２０からのイメージであると判定された（５０６）場合、ディスプレイ・モジュール２０２は、選択の静的イメージを２次画面１２２に表示する（５０８）。選択が主画面１２０に表示されるプログラムの一部であると判定された（５０６）場合、ディスプレイ・モジュール２０２は、プログラムを動的に表示し（５１０）、プログラムの変化を監視する。上記で論じたように、この動作は、主画面１２０に表示されるプログラムの部分の表示の変化に応じて２次画面１２２の表示を動的に更新することを含み、２次画面１２２上のその選択されたプログラムの画像が主画面１２０上のその選択されたプログラムの画像と同じになるようにする。
【００７０】
方法５００は、上記で論じたように、入力デバイスを監視し（５１２）、第１ユーザ１２６により使用される第１ポインタが主画面１２０のキャプチャ・プログラム・エリア２２２内に配置されたとき、ポインタを表示することを更に含む。同様に、第２ユーザ１２８により使用される第２ポインタは、主画面１２０上の主画面選択ツール２２０内に表示される。第２ポインタは、スタイラスなどの入力デバイスを通じての第２ユーザ１２８からの入力に応答する。
【００７１】
方法５００は、プライベート・モード３１４機能がアクティブであるか否かを判定すること（５１４）を更に含む。アクティブである場合、プライベート・モード３１４機能が活動化される前の主画面選択ツール２２０のプレゼンテーション・ビュー・エリア３２０上の最後のイメージが、静的イメージとして２次画面１２２に示される。パブリック・モード３１２機能がアクティブである場合、上述の監視し（５１６）、表示するプロセスが続行される。
【００７２】
図６は、本発明による複数画面を含むラップトップ・コンピュータ６００を示す。図示される実施形態では、主画面１２０は第１画面６１０であり、２次画面１２２は第２画面７１０である。第１画面６１０は、ラップトップ・コンピュータ６００の上部シャーシ６１４の内側面６５０に結合されたタブレット画面である。第２画面７１０もタブレット画面であり、上部シャーシ６１４の外側面７５０に結合されている。
【００７３】
ある実施形態では、ラップトップ・コンピュータ６００の内側面６５０は、１または複数のイメージ・センサ６１２ａ〜ｄを更に含む。イメージ・センサ６１２ａ〜ｄは、電荷結合デバイス（ＣＣＤ）イメージ・センサや、相補型金属酸化物半導体（ＣＭＯＳ）イメージ・センサや、その２つの何らかの組み合わせとすることができる。イメージ・センサ６１２ａ〜ｄは、第１画面６１０上の或る点に向けられる光ビームの強度を検出することができる。イメージ・センサ６１２ａ〜ｄに関する位置での測定された強度を比較することにより、ラップトップ・コンピュータ６００に組み込まれてイメージ・センサ６１２ａ〜ｄから入力を受けるよう構成された赤外線検出モジュール（図示せず）は、第１画面６１０上での光のビームの位置を求めることができる。
【００７４】
一実施形態では、イメージ・センサ６１２ａ〜ｄが、第１画面６１０の周囲に沿って規則的な間隔で配置される。第１ユーザ１２６などのユーザは、赤外線光のビームを放射する赤外線スタイラス６４０を使用して、ラップトップ・コンピュータ６００へ入力を与えることができる。赤外線スタイラス６４０により放射されて第１画面１６０へ向けられる光のビームは、ポインタについてのｘｙ位置を与える。ビームを第１画面６１０上の様々な点へ向けることにより、赤外線検出モジュールは、イメージ・センサ６１２ａ〜ｄにより与えられる入力を使用して、ポインタを目標とする位置へ移動するように関連ソフトウェア・モジュールに指令することができる。
【００７５】
更に、赤外線スタイラス６４０は、第１画面６１０のＧＵＩ上での従来の「クリック」操作と同等の操作をユーザが実施することを可能にするボタンと共に、構成することができる。一実施形態では、赤外線スタイラスは、Ｂｌｕｅｔｏｏｔｈなどのワイヤレス・プロトコルを使用して、ユーザがボタンを押下したことを通信する。
【００７６】
ある実施形態では、ラップトップ・コンピュータ６００は、赤外線スタイラス・ハウジング・ユニット（図示せず）を更に備える。赤外線スタイラス・ハウジング・ユニットは、赤外線スタイラス６４０を受ける（収納する）ように構成され、スタイラス６４０が使用されていないときにスタイラス６４０を保持するように構成される。
【００７７】
ラップトップ・コンピュータ６００はパワー・アクチュエータ６２２を更に備え、ユーザがパワー・アクチュエータ６２２を活動化させたときにラップトップ・コンピュータ６００を始動するように構成される。典型的な実施形態では、パワー・アクチュエータ６２２は電源ボタンである。パワー・アクチュエータ６２２は、ラップトップ・シャーシ６１８の外側部分に配置される。外側部分は、内側面６５０が露出するようにラップトップ３００を開くことなく接することができる、ラップトップ・シャーシ６１８の任意の面である。
【００７８】
ラップトップ・コンピュータ６００はまた、画面アクチュエータ６２４も有し、ユーザが画面アクチュエータ６２４を活動化したときに主画面１２０を第１画面６１０から第２画面７１０へと切り換えるように構成される。画面アクチュエータ６２４は、ラップトップ・シャーシ６１８の外側部分に配置される。
【００７９】
パワー・アクチュエータ６２２および画面アクチュエータ６２４をラップトップ・シャーシ６１８の外側部分に配置することにより、ユーザは、第１画面６１０を開かなくてもラップトップ・コンピュータ６００を操作することができ、その結果、飛行機の座席などのような限定された空間でラップトップ・コンピュータ６００を容易に使用することができる。第２画面７１０がタブレット画面である場合、ユーザは、パワー・アクチュエータ６２２を使用してラップトップ・コンピュータ６００をオンにし、主画面を第２画面７１０に切り換え、次いで、第２画面７１０を通じて入力を行うことができる。
【００８０】
ある実施形態では、ラップトップ・コンピュータ６００は、ラップトップ・シャーシ６１８の１または複数の外側部分に配置される１または複数のスピーカ６２０を更に備える。スピーカ６２０をラップトップ・シャーシ６１８の外側部分に配置することにより、ラップトップ・コンピュータ６００が開いた位置にあるか否かや、閉じた位置にあり第２画面７１０が主画面として使用されているか否かに関わらず、音声を明瞭に出すことができる。
【００８１】
ラップトップ・コンピュータ６００は、主画面が第２画面７１０であることを示すように構成されたインジケータ７１２を更に備えることができる。一実施形態では、インジケータ７１２は、第２画面７１０が主画面として設定されたときに点灯するライトである。
【００８２】
図７は、本発明による複数画面を備えるラップトップ・コンピュータ３００の第２の斜視図である。図７は、閉じた状態のラップトップ・コンピュータ６００を示し、第２画面７１０が露出している。図示される実施形態では、ラップトップ・コンピュータ６００は、上部シャーシ６１４に結合され且つ第２画面７１０を覆うように構成されたカバー７０４を更に備える。カバー７０４は、ロール・トップ・デスクと同様に、カバー７０４がハウジング７０２内に「巻かれる」ことが可能となるような十分な可撓性を有する。一実施形態では、カバー７０４は、ラップトップ・コンピュータ３００が使用されていないときに第２画面７１０を覆って保護するために、第２画面７１０に引きだすことのできるポリプロピレン・カバーである。
【００８３】
ラップトップ・コンピュータ６００が使用されているとき、カバー７０４は、カバー７０４を収納して保持するハウジング７０２内へスライド移動される。ハウジング７０２は、上部シャーシ６１４内に構築され、一実施形態では、ハウジング７０２は、第１画面６１０と第２画面７１０との間に配置される。
【００８４】
代替の実施形態では、カバー７０４は、何れの方向にもほとんど柔軟性のない固い材料から作成される。そのような実施形態では、ハウジング７０２は、下部シャーシ６１６の開口部とすることができ、ラップトップ・コンピュータ３００が使用されていないときにユーザはカバー７０４をその開口部へスライド移動させる。代替の実施形態では、下部シャーシ６１６の底部が、カバー７０４が外されているときにカバー７０４と連結して保持するように構成されたクリップを備えることができる。
【００８５】
あるいは、第２画面７１０上のカバー７０４は、第２画面７１０を完全に覆い、１または複数のヒンジで上部シャーシ６１４と結合されるように構成された実質的に硬質の材料で構成することができる。そのような実施形態では、上部シャーシ６１４は、第２画面７１０を完全に覆う閉位置でカバー７０４を保持するように構成された機械式カバー保持デバイスを備えることができる。ユーザがボタンを押すか又はスライド・バーをスライドしたことに応答して、カバー保持デバイスはカバー７０４をはずせるようにするが、この時、ユーザがヒンジを中心にカバー７０４をスイングして第２画面７１０を露出させることによりカバー７０４を開くことができるようにする。
【００８６】
カバー７０４が上部シャーシ６１４のハウジング７０２内にはまるように構成される場合、上部シャーシ６１４は上部トラック７０６および下部トラック７０８を更に備え、上部トラック７０６および下部トラック７０８の長手方向に沿ってカバー７０４を案内する。ユーザは、第２画面７１０がカバー７０４により完全に覆われるまで、トラック７０６および７０８の長手方向に沿ってカバー７０４を引く。第２画面を開くためには、ユーザは、第２画面７１０がカバーされなくなるまで、トラック７０６の長手方向に沿ってハウジング７０２内にカバー７０４を摺動させる。
【００８７】
図８は、デュアル・モニタ（２モニタ）・ディスプレイ・ユニット８００を示す。デュアル・モニタ・ディスプレイ８００は、本発明に適した複数モニタ環境の一例である。デュアル・モニタ・ディスプレイ・ユニット８００は、画面部分シャーシ８１０およびベース部分シャーシ８２０から構成されたデュアル・ディスプレイ・シャーシ８２２を備える。ベース部分シャーシ８２０は、デュアル・モニタ・ディスプレイ・ユニット８０を支持する。画面部分シャーシ８１０は、第１画面８１２および第２画面８１４を保持する。
【００８８】
第１画面８１２は、デュアル・ディスプレイ・シャーシ８２２の画面部分シャーシ８１０に結合される。一実施形態では、視認性を良くする目的で、第１画面８１２は、画面部分シャーシ８１０の面に対して角度を付けられるように、画面部分シャーシ８１０に結合される。一実施形態では、第１画面８１２は、画面部分シャーシ８１０のスロット８２６内にはまる突起８２４を有する。同様に、デュアル・モニタ・ディスプレイ・ユニット８００は、第１画面８１２の第２の側に第２突起およびスロット（図示せず）を更に有する。そのような実施形態では、突起８２４とスロット８２６との接合は、図８に示されるように第１画面８１２を画面部分シャーシ８１０の面の外側に傾斜させるように、構成することができる。
【００８９】
デュアル・モニタ・ディスプレイ・ユニット８００は、図８に示されるように、第１画面８１２と反対側で画面部分シャーシ８１０に結合された第２画面８１４を更に備える。第２画面８１４は、第１画面８１２に関しての上記の説明のように、角度を付けるようにして画面部分シャーシ８１０に結合することもできる。
【００９０】
デュアル・モニタ・ディスプレイ・ユニット８００はまた、第１画面８１２をコンピュータのモニタ接続ポートに接続するように構成されたモニタ・コネクタ８１６も備える。モニタ・コネクタ８１６は、第１画面８１２にイメージを提示するのに必要なデータおよび情報の交換を容易にするために、コンピュータのハードウェアを第１画面８１２のハードウェアに接続することを可能にする。共通モニタ・コネクタ８１６の例にはＶＧＡケーブルおよびＤＶＩケーブルが含まれるが、これらに限定されるものではない。
【００９１】
更に、デュアル・モニタ・ディスプレイ・ユニット８００は２画面アダプタ８１８を備える。２画面アダプタ８１８は、第２画面８１４をコンピュータのユニバーサル・シリアル・バス（ＵＳＢ）ポートに接続するように構成される。当業者は、ＵＳＢがほとんどのコンピュータ・システムにおいて共通の一つの標準化インターフェース・ソケットを提供するシリアル・バスであることを、理解されよう。ＵＳＢは、コンピュータを再始動することなくデバイスを接続および接続解除することを可能にする。２画面アダプタ８１８は、ユーザが、コンピュータのモニタ接続ポートを使用することなく、モニタ（第２画面８１４など）をコンピュータに接続することを可能にする。２画面アダプタ８１８の一例は、ＳｔａｒＴｅｃｈ．ｃｏｍのＵＳＢ２．０  ｔｏ  ＶＧＡ  Ｄｕａｌ  Ｄｉｓｐｌａｙ  Ａｄａｐｔｏｒというグラフィックス・アダプタである。
【００９２】
コンピュータのモニタ接続ポートおよびＵＳＢポートに接続するようにそれぞれ構成されたモニタ・コネクタ８１６および２画面アダプタ８１８を共に設けることにより、デュアル・モニタ・ディスプレイ・ユニット８００は、モニタ接続ポートの数または可用性の如何に関わらず、現代のコンピューティング・システムの大部分がデュアル・ディスプレイを実行することを可能にする。従って、デュアル・モニタ・ディスプレイ・ユニット８００は、上述のデュアル・ディスプレイ・ソフトウェアを実行するコンピュータを接続することのできる、容易に構成可能でありポータブルのデュアル画面環境を提供する。
【００９３】
本発明の精神または本質的特徴から逸脱することなく、本発明を他の特定の形態で実施することができる。記載の実施形態は、すべての点で、限定的なものとしてではなく例示的なものに過ぎないとみなされるべきである。従って、本発明の範囲は、上記の説明ではなく、特許請求の範囲により示される。特許請求の範囲の均等の意味および範囲に含まれるすべての変更が、特許請求の範囲内に包含される。
【図１】
2010514072.tif 000003
【図２】
2010514072.tif 000004
【図３】
2010514072.tif 000005
【図４】
2010514072.tif 000006
【図５】
2010514072.tif 000007
【図６】
2010514072.tif 000008
【図７】
2010514072.tif 000009
【図８】
2010514072.tif 000010
【国際調査報告】
2010514072.tif 000011